(57)【要約】【課題】  灯具本体とセードとがしっかりと固定され、セード装着時に確実に装着されたことを確認することが可能な照明器具の取付け構造を提供する。【解決手段】  灯具本体２前面の透光開口部に回転させて取り付けられるセード１を備え、灯具本体２におけるセード１の係合部５又はセード１における被係合部９とが、バネ体によって弾性的に取り付けられ、係合される照明器具において、灯具本体２の係合部５付近には、突出部６が設けられており、セード１の被係合部９付近には、突出逃がし部１０が設けられており、突出逃がし部１０の突出高さがセード１の締まり方向に向けて徐々に低くなっていく傾斜を持つものであって、セード１の回転と共に突出部５が突出逃がし部１０上を乗り越えて、セード１と灯具本体２とが隙間なく係合されるようにしたことを特徴とする照明器具の取付け構造。【選択図】  図１
2005216527.tif 000002
【特許請求の範囲】
【請求項１】
内部にランプを装備する灯具本体と、前記灯具本体の透光開口部に取り付けられるセードとを備え、
前記灯具本体は前記セードを取り付ける係合部を有し、前記セードは前記灯具本体に取り付けられる被係合部を有していて、前記灯具本体と前記セードとが弾性的に取り付けられ、係合される照明器具の取付け構造において、
前記灯具本体には前記係合部とは別に、前記灯具本体内側面側に突出した突出部が設けられており、
前記セードには、前記被係合部とは別に、前記セードの灯具本体側に向けて突出した突出逃がし部が設けられていて、前記突出逃がし部の突出高さが前記セードの締まり方向に向けて徐々に低くなっていく傾斜を持つものであって、
前記灯具本体と前記セードとが完全に係合される前に、前記セードに設けられた前記突出逃がし部が、前記灯具本体に設けられた前記突出部に接触して、前記セードの回転と共に前記突出部が前記突出逃がし部上を移動するにつれ、前記セードの一部が前記灯具本体から浮き上がり、さらに前記セードが回転して前記突出部から前記突出逃がし部がはずれた時に、セードの浮き上がりがなくなり、
前記セードと前記灯具本体とが隙間なく係合されることを特徴とする照明器具の取付け構造。
【請求項２】
前記突出部における前記突出逃がし部との接触部が、前記接触部と前記透光開口部の開口面との距離が前記セードの締まり方向に向けて徐々に小さくなっていく傾斜面を有していることを特徴とする請求項１記載の照明器具の取付け構造。
【請求項３】
内部にランプを装備する灯具本体と、前記灯具本体の透光開口部に取り付けられるセードとを備え、
前記灯具本体は前記セードを取り付ける係合部を有し、前記セードは前記灯具本体に取り付けられる被係合部を有していて、前記灯具本体と前記セードとが、弾性的に取り付けられ、係合される照明器具の取付け構造において、
前記セードには前記被係合部とは別に、前記セードの灯具本体側に向けて突出した突出部が設けられていて、
前記灯具本体には前記係合部とは別に、前記灯具本体内側面側に突出した突出逃がし部が設けられており、前記突出逃がし部における前記突出部との接触部は、前記接触部と前記透光開口部の開口面との距離が前記セードの締まり方向に向けて徐々に小さくなっていく傾斜面を有していて、
前記灯具本体と前記セードとが完全に係合される前に、前記セードに設けられた前記突出部が、前記灯具本体に設けられた前記突出逃がし部に接触して、前記セードの回転と共に前記突出部が前記突出逃がし部上を移動するにつれ、前記セードの一部が前記灯具本体から浮き上がり、さらに前記セードが回転して前記突出部から前記突出逃がし部がはずれた時に、セードの浮き上がりがなくなり、
前記セードと前記灯具本体とが隙間なく係合されることを特徴とする照明器具の取付け構造。
【請求項４】
前記突出部の突出高さが前記セードの締まり方向に向けて徐々に低くなっていく傾斜を持つことを特徴とする請求項３記載の照明器具の取付け構造。
【発明の詳細な説明】
【技術分野】
【０００１】
本発明はセードを回転させて弾性的な力でセードを灯具本体に取り付ける照明器具の取付け構造に関するものである。
【背景技術】
【０００２】
従来、照明器具のセードの取り付け方法としては、以下の特許文献１のようなものが知られている。
【０００３】
天井直付け式の照明器具では、天井面に設置されている灯具本体に、当該灯具本体の地面側を覆う半球形状のセードが着脱されるものがある。すなわち、地面と略垂直方向を軸心として、該軸心回りに照明器具のセードを相対回転自在に装着するのである。
【０００４】
この照明器具では、灯具本体のセード取り付け部の円周方向の複数箇所に、回転半径方向外向きに、セードが装着される係止片が突出して設けられている。該係止片は外向きに弾性力を有する材料を用いて設けられている。
【０００５】
セードにおける灯具本体に取り付けられる環状の被取り付け部には、セードの内半径方向に開口して設けられた凹部が環状に設けられている。該凹部には灯具本体に設置された係止片が支持されて、セードが固定されることになる。また、灯具本体に対してセードが特定の位置にあるときにのみ、灯具本体に設置された係止片を通すことができる係止解除用の切り欠き部が、凹部の特定の位置に設けられている。さらに、該切り欠き部のセード回転方向の両端部付近にはセードの内半径方向に突出した弾性力を有する部材が設けられている。
【０００６】
上記照明器具はまず、灯具本体の突出した係止片をセードの切り欠き部と合致させる。次いで、地面に対して略垂直方向の軸を中心として、凹部に係止片が嵌った状態で回転させる。次いで、灯具本体の係止片がセードの切り欠き部以外の凹部に位置するまでセードを回転させて、セードが係止片をもって灯具本体に取り付けられるという照明器具の取付け構造である。
【特許文献１】特開平６−２４３７１２号公報
【発明の開示】
【発明が解決しようとする課題】
【０００７】
しかし、特許文献１の照明器具の取り付け方法には以下のような問題点がある。
【０００８】
すなわち、照明器具の長期使用により、切り欠き部の両端付近に設けられた弾性体に用いられているバネ等の弾性部材が劣化し、弾性力が減少する場合がある。この場合、弾性的な力によって取り付けられている灯具本体とセードとの互いの保持力が減少し、振動等によりセードが勝手に微小な回転をしてしまうことがある。すると、セードの切り欠き部から灯具本体の係止片が抜けてしまい、セードが落下するといった事態が起きてしまう可能性がある。
【０００９】
また、セードは灯具本体に回転して取り付けられるが、灯具本体の係止片は、セードにおける凹部の任意の場所に取り付けられるので、固定の際の手応えがない。さらにセードは弾性的に固定されるので、嵌り合った時に固定音がしないため、きちんとセードが灯具本体に固定されたか確信を持つことができない。その結果、実際にセードが灯具本体にきちんと固定できていない状態であると、セードが落下してしまう危険性がある。
【００１０】
本発明は上記事項に鑑みてなしたもので、その目的は灯具本体とセードとがしっかりと固定され、セード装着時に確実に装着されたことを確認することが可能な照明器具の取付け構造を提供することにある。
【課題を解決するための手段】
【００１１】
請求項１に係る発明の照明器具の取付け構造は、内部にランプを装備する灯具本体と、前記灯具本体の透光開口部に取り付けられるセードとを備え、前記灯具本体は前記セードを取り付ける係合部を有し、前記セードは前記灯具本体に取り付けられる被係合部を有していて、前記灯具本体と前記セードとが弾性的に取り付けられ、係合される照明器具の取付け構造において、前記灯具本体には前記係合部とは別に、前記灯具本体内側面側に突出した突出部が設けられており、前記セードには、前記被係合部とは別に、前記セードの灯具本体側に向けて突出した突出逃がし部が設けられていて、前記突出逃がし部の突出高さが前記セードの締まり方向に向けて徐々に低くなっていく傾斜を持つものであって、前記灯具本体と前記セードとが完全に係合される前に、前記セードに設けられた前記突出逃がし部が、前記灯具本体に設けられた前記突出部に接触して、前記セードの回転と共に前記突出部が前記突出逃がし部上を移動するにつれ、前記セードの一部が前記灯具本体から浮き上がり、さらに前記セードが回転して前記突出部から前記突出逃がし部がはずれた時に、セードの浮き上がりがなくなり、前記セードと前記灯具本体とが隙間なく係合されることを特徴とする。
【００１２】
請求項２に係る発明の照明器具の取付け構造は、請求項１記載の照明器具の取付け構造において、前記突出部における前記突出逃がし部との接触部は、前記接触部と前記透光開口部の開口面との距離が前記セードの締まり方向に向けて徐々に小さくなっていく傾斜面を有していることを特徴とする。
【００１３】
請求項３に係る発明の照明器具の取付け構造は、内部にランプを装備する灯具本体と、前記灯具本体の透光開口部に取り付けられるセードとを備え、前記灯具本体は前記セードを取り付ける係合部を有し、前記セードは前記灯具本体に取り付けられる被係合部を有していて、前記灯具本体と前記セードとが、弾性的に取り付けられ、係合される照明器具の取付け構造において、前記セードには前記被係合部とは別に、前記セードの灯具本体側に向けて突出した突出部が設けられていて、前記灯具本体には前記係合部とは別に、前記灯具本体内側面側に突出した突出逃がし部が設けられており、前記突出逃がし部における前記突出部との接触部は、前記接触部と前記透光開口部の開口面との距離が前記セードの締まり方向に向けて徐々に小さくなっていく傾斜面を有しており、前記灯具本体と前記セードとが完全に係合される前に、前記セードに設けられた前記突出部が、前記灯具本体に設けられた前記突出逃がし部に接触して、前記セードの回転と共に前記突出部が前記突出逃がし部上を移動するにつれ、前記セードの一部が前記灯具本体から浮き上がり、さらに前記セードが回転して前記突出部から前記突出逃がし部がはずれた時に、セードの浮き上がりがなくなり、前記セードと前記灯具本体とが隙間なく係合されることを特徴とする。
【００１４】
請求項４に係る発明の照明器具の取付け構造は、請求項３記載の照明器具の取付け構造において、前記突出部の突出高さが前記セードの締まり方向に向けて徐々に低くなっていく傾斜を持つことを特徴とする。
【発明の効果】
【００１５】
請求項１に係る発明の照明器具の取付け構造によれば、灯具本体の係合部に突出部が、また、セードの被係合部には突出逃がし部が設けられている。
【００１６】
このことにより、灯具本体にセードを取り付ける場合、セードを回転させた時に、突出部が突出逃がし部を乗り越えようとすることにより、セードの一部が灯具本体から浮き上がる。セードを回転させて、突出部が突出逃がし部を乗り越えると、突出逃がし部の段差から突出部が急に外れて、セードが灯具本体側に戻されて、セードの被係合部近傍の前面枠が灯具にぶつかり、その時の衝撃で音が出る。そして、セードと灯具本体とが係合部で固定される。
【００１７】
以上の一連の動作により、セードが灯具本体に確実に取り付けられたことを視覚的および聴覚的に確認することができる。
【００１８】
さらに、セードが灯具本体に取り付けられた後には、セードと灯具本体とは弾性的に取り付けられ、完全に係合されているが、たとえセードを弾性力に反して回転させたとしても、突出逃がし部と突出部が互いにぶつかって回転することができなくなり、セードを灯具本体に反して引っ張らない限り、セードが勝手に外れてしまうことはない。
【００１９】
請求項２に係る発明の照明器具の取付け構造によれば、請求項１記載の照明器具の取付け構造において、前記突出部における前記突出逃がし部との接触部は、前記接触部と前記透光開口部の開口面との距離が前記セードの締まり方向に向けて徐々に小さくなっていく傾斜面を有していることにより、セードを回転させた場合に、突出部が突出逃がし部と接触し、突出部が突出逃がし部を乗り越えていく時に、滑らかに乗り越えていくことができるようになり、灯具本体にセードをスムーズに取り付けることができるようになる。
【００２０】
請求項３に係る発明の照明器具の取付け構造によれば、灯具本体の係合部に突出逃がし部が、また、セードの被係合部には突出部が設けられている。
【００２１】
このことにより、請求項１と同様の効果を発現することができる。
【００２２】
請求項４に係る発明の照明器具の取付け構造によれば、請求項３記載の照明器具の取付け構造において、前記突出部の突出高さが前記セードの締まり方向に向けて徐々に低くなっていく傾斜を持つことにより、請求項２と同様の効果を発現することができる。
【発明を実施するための最良の形態】
【００２３】
以下、本発明を実施形態に基づいて説明する。
【００２４】
（実施形態１）
図２は、灯具本体にセードを取り付けた照明器具の斜視図である。図２における下部のセード１から、灯具本体２内部に取り付けられたランプの光が放射されて、対象物を明るく照らすことができる。本実施形態の照明器具のセード１と灯具本体２との取り付け方法は、ネジ等で固定してしまわないものであり、セード１を回転させて灯具本体２に取り付けるのである。
【００２５】
図１は図２の照明器具における灯具本体２とセード１との取り付け前の斜視図である。
【００２６】
灯具本体２は大別して次の四部材から成り立っている。すなわち、一つにランプを設けて点灯させるために設けられた配線部３と、二つにランプを覆い、光を反射させる反射笠４と、三つにセード１と係合し合う係合部５と、四つに係合部５近傍に設けられた突出部６である。
【００２７】
また、セード１は大別して次の四部材から成り立っている。すなわち、一つに灯具本体２の透光開口部を覆い隠す前面枠７と、二つに前面枠７の灯具本体２側に設けられる嵌合部８と、三つに嵌合部８の複数箇所に設けられ、灯具本体２の係合部５に係合される被係合部９と、四つに被係合部９近傍に設けられた突出部逃がし部１０である。
【００２８】
まず、灯具本体２の部位について詳細に説明する。
【００２９】
灯具本体２における配線部３は反射笠４の一端に設置され、反対側は略円形の透光開口部が設けられており、透光開口部からランプの光が放射される。反射笠４はランプが十分に収納できる大きさのものであればよい。
【００３０】
図３は、灯具本体２の係合部５周辺を灯具本体２内部側からみた拡大図である。係合部５は反射笠４の内部の透光開口部縁部に複数箇所（図１では三箇所）設けられている。係合部５には、弾性材受け止め部材５ａが設けられている。弾性材受け止め部材５ａは、灯具本体２における透光開口部の内半径方向に向かって突出して設けられている。弾性材受け止め部材５ａの突出高さは、灯具本体２にセード１を取り付ける場合に、セード１の取り付けの邪魔にならないように、セード１が灯具本体２にすっぽり収まるような高さを有していればよい。また、弾性材受け止め部材５ａは、セード１の弾性材９ａと接触して取り付けられるため、弾性材受け止め部材５ａの表面は凹凸がなく、滑らかな形状であることが好ましい。よって、弾性材受け止め部材５ａは長手方向を灯具本体２の透光開口部縁部に沿わせて取り付ける長方形状の平板を用いるのが好ましい。以上のような弾性材受け止め部材５ａは灯具本体２の係合部５における透光開口部縁部付近に、縁部に沿って二箇所に設けられている。この対になって設けられている弾性材受け止め部材５ａは、他の二箇所の係合部５にも同様に設けられている。
【００３１】
係合部５におけるセード１の締まり方向側の近くには、突出部６が設けられている（図３参照。）。突出部６は灯具本体２の透光開口部縁部付近に内半径方向に向かって突出して設けられている。突出部６は弾性材受け止め部材５ａの、突出高さと略同じ高さであるとよい。また、突出部６の透光開口部縁部からの距離は、透光開口部縁部から弾性材受け止め部材５ａとの距離と略同じにすることが好ましい。突出部６におけるセード１の突出逃がし部１０との接触部にあたる場所は、表面が滑らかな形状のものであるとよい。本実施形態の場合、略円柱形の部材を嵌合部８の側面から突出させて突出部６としている。さらに、突出部６は灯具本体２にセード１を取り付ける時に、セード１の取り付けの妨げにならないような大きさでなければならない。
【００３２】
次にセード１の部位について図１に基づいて説明する。
【００３３】
前面枠７は、灯具本体２の反射笠４の透光開口部と略同じ形状であるとよい（図１参照。）。また、前面枠７の大きさは反射笠４の略円形の透光開口部の直径と同じか、若干直径が大きい円形形状のものであることが好ましい。しかし、前面枠７は、ランプの光が漏れることがなければ、使用環境等に応じて、多様な形状のものを用いても構わない。
【００３４】
嵌合部８は前面枠７の反射笠４側に突出して設けられる（図１参照。）。嵌合部８の形状は円形の平面形状であり、反射笠４の開口部の直径よりも若干小さくなければならない。嵌合部８の前面枠７からの高さは嵌合部８のどの場所においても略一定の高さであるのがよく、反射笠４の天井部分に接しないようにして、セード１が灯具本体２にぴたりと嵌る高さでなければならない。
【００３５】
図４は被係合部周辺を示した拡大図である。
【００３６】
図４に例示したように、被係合部９は突出して設けられた嵌合部８の側面部分に複数箇所（図１では三箇所）設けられている。被係合部９は灯具本体２の反射笠４と係合されるため、反射笠４の三箇所に設けられた係合部５とぴたりと係合される間隔で設置しなければならない。被係合部９には弾性材９ａが設けられている。弾性材９ａは金属の薄板のような材料で形成されるのがよく、透光方向に弾性力を持つように設置される。また、灯具本体２とより強固に取り付けるために、前面枠７方向に湾曲した湾曲部を設けることが好ましい。該湾曲部が灯具本体２の対になった弾性材受け止め部材５ａの間に入り込み、セード１が回転方向に動き出す事態をより防ぐことができる。残りの二箇所の被係合部９にも同様に弾性材受け止め部材５ａが設けられている。
【００３７】
突出逃がし部１０は、灯具本体２に設置された突出部６が接触する部材である。突出逃がし部１０は、被係合部９の近傍であって、セード１の締まり方向にあたる側の嵌合部８側面に設けられている。突出逃がし部１０の前面枠７からの最大高さは、嵌合部８の前面枠７からの高さと略同じか、前面枠７より低いことが好ましい。突出逃がし部１０の突出高さはセード１の締まり方向に向かって徐々に低くなっていく傾斜を有している。残り二箇所の被係合部９に設置されている突出逃がし部１０も同様な形状を有している。
【００３８】
以上のような突出部６と突出逃がし部１０はそれぞれ一対のものでなければならず、設置個数は一箇所だけに限定されるものではなく、係合部５および被係合部９近傍の複数箇所に設けてもよい。
【００３９】
次に灯具本体２とセード１との取り付け方法について図５（ａ）〜図５（ｃ）に基づいて、以下に説明する。
【００４０】
図５（ａ）は、突出逃がし部１０に、突出部６が位置するようにして、灯具本体２にセード１を重ね合わせた時の側面図である。
【００４１】
この場合、突出部逃がし部１０に突出部６が位置することは、外部からは分かり難いので、反射笠４の外壁側面および前面枠７の外壁側面に印を設け、該印が一致するように、灯具本体２とセード１とを重ね合わせれば、容易に灯具本体２とセード１との位置合わせができる。
【００４２】
灯具本体２とセード１とを重ね合わせた時点では、突出部６は突出逃がし部１０の傾斜の最下部に位置しており、弾性材受け止め部材５ａは反射笠４の弾性材９ａと、突出逃がし部１０との間に位置している。
【００４３】
図５（ｂ）はセード１を締まり方向に回転させた時の側面図である。
【００４４】
突出部６が突出逃がし部１０の傾斜を上り、それと共に、突出部６が設けられている付近の灯具本体２がセード１と離れるように浮き上がる。このようにして、灯具本体２にセード１が取り付けられる段階を外部から確認することができる。この時、弾性材受け止め部材５ａは、セード１の弾性材９ａと前面枠７との間に潜り込み、灯具本体２の浮き上がりに伴って弾性材受け止め部材５ａも浮き上がる。弾性材受け止め部材５ａは浮き上がることで弾性材９ａに接触し、弾性材９ａもその弾性力に抗して浮き上がった状態となっている。
【００４５】
図５（ｃ）は灯具本体２にセード１が完全に取り付けられた時の側面図である。
【００４６】
セード１を締まり方向にさらに回転させると、突出逃がし部１０を上ってきた突出部６が、突出逃がし部１０から外れて、その瞬間、浮き上がっていた灯具本体２が、前面枠７側に移動し、灯具本体２とセード１との隙間がなくなり、灯具本体２とセード１とが取り付けられる。この時、灯具本体２の瞬間移動により、灯具本体２の開口部の縁部と、前面枠７とがぶつかり合い、カチンという音が鳴ることにより、灯具本体２とセード１とが完全に係合されたことが確認できる。灯具本体２の係合部５の弾性材９ａが、セード１の被係合部９の弾性材受け止め部材５ａに係合される。弾性材受け止め部材５ａは二部材で並んで構成されているが、該二部材の弾性材受け止め部材５ａの間に、弾性材９ａの湾曲部分がはまって、弾性材９ａの弾性力によって弾性材受け止め部材５ａを抑え付けて、灯具本体２とセード１とが係合される。
【００４７】
灯具本体２とセード１との係合後は、弾性材９ａの抗力に反してセード１を緩み方向に回転させても、突出逃がし部１０に突出部６が当たって、その位置以上は緩まないようになっている。セード１を灯具本体２から外す時には、セード１を灯具本体２から浮き上がらせて、弾性材９ａの抗力に反して持ち上げて、持ち上げた状態でセード１を緩み方向に回転させて、突出部６が突出逃がし部１０を越えると、その時点で弾性材９ａが弾性材受け止め部材５ａから外れて、セード１が灯具本体２から外れることになる。
【００４８】
（実施形態２）
図６は本発明の他の実施形態を示した図である。本発明の実施形態２を図６に基づいて説明する。
【００４９】
実施形態１の突出部６における突出逃がし部１０との接触部が傾斜面を有している。該傾斜面は突出部６の突出逃がし部１０との接触部と灯具本体２の透光開口部の開口面との距離がセード１の締まり方向に向けて徐々に短くなっているようなものである。ここで、透光開口部の開口面とは、灯具本体２における反射笠４の透光開口部の縁端部から形成されている平面のことである。
【００５０】
突出部６に傾斜が設けられていることにより、セード１を締め付け方向に回転させて、より滑らかに引っ掛かりなく、突出部６が突出逃がし部１０を乗り越えることができて、セード１の灯具本体２への取り付けがよりスムーズになる。
【００５１】
灯具本体２とセード１の取り付け方法は、実施形態１と同じ要領である。
【００５２】
（実施形態３）
図７は本発明の他の実施形態を示した図である。本発明の実施形態３を図７に基づいて説明する。
【００５３】
実施形態３では、実施形態１で突出部６が設けられていた灯具本体２に、突出逃がし部１０が設けられ、実施形態１で突出逃がし部１０が設けられていたセード１に、突出部６が設けられているものである。
【００５４】
すなわち、突出逃がし部１０は灯具本体２の係合部５の近傍であって、セード１の締まり方向側の近くに設けられている。また、突出逃がし部１０における突出部６との接触部が、接触部と灯具本体２の開口部との距離がセード１の締まり方向に向けて徐々に短くなっていく傾斜面を有している。
【００５５】
図８は灯具本体２の開口部近傍を灯具本体２内部から見た拡大図である。突出逃がし部１０の灯具本体２内部への突出高さは、弾性材受け止め部材５ａの高さと略同じであればよい。また、突出逃がし部１０の開口部の縁部からの距離は、開口部の縁部から弾性材受け止め部材５ａとの距離と略同じにすることが好ましい。突出逃がし部１０のセード１における突出部６との接触部にあたる場所は、表面が滑らかな形状のものであるとよい。さらに、突出逃がし部１０は灯具本体２にセード１を取り付ける時に、セード１の取り付けの妨げにならないような大きさでなければならない。
【００５６】
図９はセード１の被係合部近傍を示した拡大図である。突出部６はセード１の被係合部９の近傍であって、セード１の締まり方向にあたる側の嵌合部８側面に設けられている。
【００５７】
突出部６の前面枠７からの最大高さは、嵌合部８の前面枠７からの高さと略同じか、前面枠７より低いことが好ましい。突出部６のセード１における突出部６との接触部にあたる場所は、表面が滑らかな形状のものであるとよい。本実施形態の場合、略円柱形の部材を嵌合部８の側面から突出させて突出部６としている。さらに、突出逃がし部１０は灯具本体２にセード１を取り付ける時に、セード１の取り付けの妨げにならないような大きさでなければならない。
【００５８】
図１０は本実施形態のセード１と灯具本体２とを組み合わせた時の、係合前の側面図である。
【００５９】
灯具本体２とセード１の取り付け方法は、実施形態１と同じ要領である。
【００６０】
（実施形態４）
図１１は本発明の他の実施形態を示した図である。実施形態４を図１１に基づいて説明する。
【００６１】
実施形態３の突出部６における突出逃がし部１０との接触部が傾斜面を有している。突出部６の突出高さがセード１の締まり方向に向けて徐々に低くなっていく傾斜を有している。
【００６２】
突出部６に傾斜が設けられていることにより、セード１を締め付け方向に回転させて、より滑らかに引っ掛かりなく、突出部６が突出逃がし部１０を乗り越えることができて、セード１の灯具本体２への取り付けがよりスムーズになる。
【００６３】
灯具本体２とセード１の取り付け方法は、実施形態１と同じ要領である。
【図面の簡単な説明】
【００６４】
【図１】本発明の照明器具の取付け構造の実施形態１を示した斜視図である。
【図２】本発明の照明器具の取付け構造の実施形態１によって取り付けられた照明器具を示した斜視図である。
【図３】本発明の照明器具の取付け構造の実施形態１において、灯具本体の係合部近傍を灯具本体内部側からみた拡大図である。
【図４】本発明の照明器具の取付け構造の実施形態１において、セードの被係合部の拡大図である。
【図５（ａ）】本発明の照明器具の取付け構造の実施形態１において、灯具本体とセードとを重ね合わせた時の側面図である。
【図５（ｂ）】本発明の照明器具の取付け構造の実施形態１において、セードを締め付け方向に回転させた時の側面図である。
【図５（ｃ）】本発明の照明器具の取付け構造の実施形態１において、灯具本体とセードとが完全に係合された時の側面図である。
【図６】本発明の照明器具の取付け構造の実施形態２において、灯具本体の係合部近傍を灯具本体内部側からみた拡大図である。
【図７】本発明の照明器具の取付け構造の実施形態３を示した斜視図である。
【図８】本発明の照明器具の取付け構造の実施形態３において、灯具本体の係合部近傍を灯具本体内部側からみた拡大図である。
【図９】本発明の照明器具の取付け構造の実施形態３において、セードの被係合部の拡大図である。
【図１０】本発明の照明器具の取付け構造の実施形態３において、灯具本体とセードとを重ね合わせた時の側面図である。
【図１１】本発明の照明器具の取付け構造の実施形態４において、セードの被係合部の拡大図である。
【符号の説明】
【００６５】
１．セード
２．灯具本体
３．配線部
４．反射笠
５．係合部
５ａ．弾性材受け止め部材
６．突出部
７．前面枠
８．嵌合部
９．被係合部
９ａ．弾性材
１０．突出逃がし部
【図１】
2005216527.tif 000003
【図２】
2005216527.tif 000004
【図３】
2005216527.tif 000005
【図４】
2005216527.tif 000006
【図５（ａ）】
2005216527.tif 000007
【図５（ｂ）】
2005216527.tif 000008
【図５（ｃ）】
2005216527.tif 000009
【図６】
2005216527.tif 000010
【図７】
2005216527.tif 000011
【図８】
2005216527.tif 000012
【図９】
2005216527.tif 000013
【図１０】
2005216527.tif 000014
【図１１】
2005216527.tif 000015